(57)【特許請求の範囲】
【請求項１】
デジタル放送受信装置に表示される放送コンテンツの視聴者に対して、特典として通信ネットワークを流通するデータ形式の景品を進呈する視聴者サービスが提供される前記コンテンツを放送し、放送する前記コンテンツのデータ放送により、前記コンテンツを視聴する視聴者が前記景品を取得する権利を獲得した際に前記景品をダウンロードするための宛先であるＷｅｂサーバにアクセスするためのアクセス用情報を送信するデジタル放送送信装置と、前記Ｗｅｂサーバとを備えるサービス提供システムであって、
前記デジタル放送送信装置は、
前記コンテンツ用の前記アクセス用情報として、前記コンテンツ用の景品をダウンロードするためのページの前に遷移する遷移先のＵＲＬの文字列と、パスワードの文字列と当該パスワードの有効期限の時刻との組み合わせを時刻別に複数格納したパスワードテーブルとを送信すると共に、データ放送により、前記デジタル放送受信装置にて前記遷移先のＵＲＬの文字列の後にコード生成時刻に対応したパスワードの文字列を連結したテキストから２次元コードを生成および表示するためのコード生成プログラムを送信する放送制御手段を備え、
前記Ｗｅｂサーバは、
前記遷移先のＵＲＬで特定され、
前記データ放送にて送信されるパスワードテーブルと同じパスワードテーブルを記憶するテーブル記憶手段と、
携帯端末機から、通信ネットワークを介して、前記遷移先のＵＲＬの文字列と前記パスワードの文字列とが連結された文字列を受信し、受信した文字列に連結されているパスワードを抽出するパスワード抽出手段と、
前記テーブル記憶手段に記憶された前記パスワードテーブルを参照し、前記抽出したパスワードと、この抽出した時刻とに基づいて、前記抽出したパスワードが有効期限内のものであるか否かを判定する有効期限判定手段と、
前記抽出したパスワードが有効期限を過ぎているものである場合、その旨のエラーメッセージを表示するページ画面を前記携帯端末機に送信し、前記抽出したパスワードが有効期限内のものである場合、前記景品をダウンロードするためのページ画面を前記携帯端末機に送信するページ画面送信制御手段と、
を備えることを特徴とするサービス提供システム。
【請求項２】
前記Ｗｅｂサーバは、
外部から前記デジタル放送送信装置に入力された前記パスワードテーブルを通信ネットワークを介して取得して前記テーブル記憶手段に入力するパスワードテーブル取得手段をさらに備えることを特徴とする請求項１に記載のサービス提供システム。
【請求項３】
前記デジタル放送送信装置と前記Ｗｅｂサーバは、
前記コンテンツ用の前記パスワードテーブルとして同一のテーブルを同じアルゴリズムで生成して用いることを特徴とする請求項１に記載のサービス提供システム。
【発明の詳細な説明】
【技術分野】
【０００１】
本発明は、デジタル放送のコンテンツの視聴者に特典を与えるサービスを提供するサービス提供システムに関し、特に、不正を防止しながらサービスを提供するサービス提供システムに関する。
【背景技術】
【０００２】
従来、放送局では、放送番組を視聴者に視聴してもらった謝礼や、視聴者が放送番組に参加した際の景品として、例えば、携帯電話機向けの壁紙、待ち受け画面や着ボイスなどのコンテンツを視聴者に進呈している。その際、放送局では、利用者の利便性のために、放送番組のデータ放送コンテンツ上において、景品進呈用のＵＲＬ（Uniform Resource Locator）の情報が記載された２次元コードを送信して表示していた。
【０００３】
この放送番組を視聴した視聴者は、例えば、自分が所有する２次元コード読み取り機能付き携帯端末機によって、データ放送コンテンツ上に表示されている２次元コードを読み取り、景品進呈用のＵＲＬにアクセスし、例えば、壁紙や着ボイスなどのコンテンツを容易にダウンロードできる。また、放送局では、景品を取得する正当な権利を獲得した利用者の利便性のために、視聴者が、例えば、権利獲得直後に宛先のＵＲＬにアクセスしなくても、数日間の期限内においてアクセスすれば良いこととしている。この仕組みでは、放送局は、景品を受け取る権利がある視聴者だけが、景品進呈用のＵＲＬにアクセスすることを想定していた。
【０００４】
しかしながら、２次元コードを読み取ることで得た景品進呈用のＵＲＬの情報をネット上の掲示板などに掲示して公開する行為がなされたことがあった。このようにネット上の掲示板などに掲示された情報は誰でも閲覧できるので、放送局が正当な権利者に用意した景品を、誰でも獲得できることとなってしまった。例えば、放送局が、毎週放映するシリーズの放送番組を放送中にリアルタイムに視聴する視聴者に対してポイントを与えて受信機に蓄積し、予め定められた回数だけ連続して視聴した場合に蓄積ポイントに応じて景品を進呈するといったルールを導入している場合がある。このような場合には、連続して視聴する努力をした視聴者が不快な想いを感じることになる。つまり、特定の条件を満たす正当な視聴者のために用意した景品進呈サービスが成立しなくなってしまった。
【０００５】
ネットワーク上の不正を防止する方法として、ネットワーク上のサーバにアクセスする人物やその人物が利用するネットワーク装置を識別するようにすることが考えられる。
例えば特許文献１には、パスワードが流れた番組を視聴していない者までが、そのパスワードを用いて懸賞に応募してしまうような不正行為を防止するために、実際に視聴した人物を識別する技術が開示されている。
【０００６】
この特許文献１に記載の技術は、画面表示によってパスワードを看取した視聴者が、パスワードをパーソナルコンピュータ等から入力する必要がある。そのため、デジタル放送受信装置からインターネット接続する環境を整えることが必須である。また、視聴者が携帯端末機で２次元コードを読み取ることを前提とする技術ではない。
【０００７】
なお、ネットワーク上の不正を防止するための方法ではないが、ユーザ登録において、２次元コードを生成して画面表示する技術が提案されている（例えば特許文献２参照）。
特許文献２に記載の技術では、デジタル放送受信装置がインターネット接続する環境が整っていなくても、デジタル放送受信装置において２次元コードを生成して画面表示することが可能である。また、放送局が、データ放送にて、受信側のＢ-ＣＡＳ（登録商標）カードのカード番号を基に２次元コードを表示するためのプログラムを送信し、視聴者が２次元コードを用いてユーザ登録を容易に行うことができる。
【先行技術文献】
【特許文献】
【０００８】
【特許文献１】特開２００１−３５８６８３号公報
【特許文献２】特開２０１０−１４０１５２号公報
【発明の概要】
【発明が解決しようとする課題】
【０００９】
しかしながら、放送番組のデータ放送コンテンツ上において、景品進呈用のＵＲＬの情報が記載された２次元コードを送信して表示し、視聴者が携帯端末機で２次元コードを読み取る仕組みにおいて、景品を不正に取得する行為を無効化しようとする場合、多くの運用コストを要する。このような不正行為を無効化する方法としては、例えば、放送局が、１つの景品に対応した１つの放送番組のデータ放送において、複数の２次元コードを予め用意し、用意した複数の２次元コードを、予め定めた時間ごとに切り替えたり、予め定めた視聴者グループ毎に切り替えたりするなどして、不正行為の被害を最小限に食い止めることが考えられる。このような不正ダウンロードの対策を厳密にしようとすればするほど、運用コストが膨大にかかってしまっていた。例えば、１０分間ごとに２次元コードを切り替える場合、３日間の景品ダウンロード期限があれば、４３２個もの２次元コードを用意する必要がある。
【００１０】
また、放送局は、そもそも放送番組を視聴者に視聴してもらった感謝の景品を進呈するサービスを提供しているだけなので、放送局が不正者を特定して追及するといったことは想定していない。そして、不正ダウンロードの対策においては、ネットワーク上のサーバにアクセスする人物やその人物が利用するネットワーク装置を厳密に識別する必要性はない。不正ダウンロードの対策によって、不正をした者の大部分が不正をしても無駄であると認識し、不正を行わなくなればよいのである。
【００１１】
本発明は、以上のような問題点に鑑みてなされたものであり、放送番組の視聴者用の景品が不正にダウンロードされることを防止するための運用コストを低減することを課題とする。
【課題を解決するための手段】
【００１２】
前記課題を解決するために、請求項１に記載のサービス提供システムは、デジタル放送受信装置に表示される放送コンテンツの視聴者に対して、特典として通信ネットワークを流通するデータ形式の景品を進呈する視聴者サービスが提供される前記コンテンツを放送し、放送する前記コンテンツのデータ放送により、前記コンテンツを視聴する視聴者が前記景品を取得する権利を獲得した際に前記景品をダウンロードするための宛先であるＷｅｂサーバにアクセスするためのアクセス用情報を送信するデジタル放送送信装置と、前記Ｗｅｂサーバと、を備えることとした。
【００１３】
かかる構成によれば、サービス提供システムは、前記デジタル放送送信装置の放送制御手段によって、前記コンテンツ用の前記アクセス用情報として、前記コンテンツ用の景品をダウンロードするためのページの前に遷移する遷移先のＵＲＬの文字列と、パスワードの文字列と当該パスワードの有効期限の時刻との組み合わせを時刻別に複数格納したパスワードテーブルとを送信すると共に、データ放送により、前記デジタル放送受信装置にて前記遷移先のＵＲＬの文字列の後にコード生成時刻に対応したパスワードの文字列を連結したテキストから２次元コードを生成および表示するためのコード生成プログラムを送信する。
コンテンツ受信側において、デジタル放送受信装置は、アクセス用情報として、遷移先のＵＲＬの文字列と、パスワードテーブルとを受信すると共に、データ放送により、コード生成プログラムを受信する。そして、デジタル放送受信装置は、コンテンツを視聴する視聴者が予め定められた基準を満たして景品を取得する権利を獲得した場合、アクセス用情報を用いて、遷移先のＵＲＬとパスワードとが連結したテキストを記載した２次元コードを生成し、テレビ画面に表示する。これにより、視聴者は、テレビ画面に表示された２次元コードを携帯端末機にて読み取って景品をダウンロードするための宛先であるＷｅｂサーバにアクセスすることができる。なお、不正者は、宛先の情報を携帯端末機に入力してＷｅｂサーバにアクセスする。
【００１４】
また、このサービス提供システムにおいて、前記Ｗｅｂサーバは、前記遷移先のＵＲＬで特定され、テーブル記憶手段と、パスワード抽出手段と、有効期限判定手段と、ページ画面送信制御手段とを備えることとした。このＷｅｂサーバは、テーブル記憶手段に、前記データ放送にて送信されるパスワードテーブルと同じパスワードテーブルを記憶する。
そして、Ｗｅｂサーバは、パスワード抽出手段によって、携帯端末機から、通信ネットワークを介して、前記遷移先のＵＲＬの文字列と前記パスワードの文字列とが連結された文字列を受信し、受信した文字列に連結されているパスワードを抽出する。
そして、Ｗｅｂサーバは、有効期限判定手段によって、前記テーブル記憶手段に記憶された前記パスワードテーブルを参照し、前記抽出したパスワードと、この抽出した時刻とに基づいて、前記抽出したパスワードが有効期限内のものであるか否かを判定する。
そして、Ｗｅｂサーバは、ページ画面送信制御手段によって、前記抽出したパスワードが有効期限を過ぎているものである場合、その旨のエラーメッセージを表示するページ画面を前記携帯端末機に送信し、前記抽出したパスワードが有効期限内のものである場合、前記景品をダウンロードするためのページ画面を前記携帯端末機に送信する。
【００１５】
これにより、サービス提供システムにおいて、２次元コードに記載された、ＵＲＬにパスワードが連結された文字列が、ネット上の掲示板などに掲示されたとしても、掲示されたパスワードの有効期限が切れた場合には、無効となる。また、サービス提供システムでは、送信側にて２次元コードを生成して予め用意する必要がないので、景品が不正にダウンロードされることを防止するための運用コストを低減することができる。
【００１６】
また、請求項２に記載のサービス提供システムは、請求項１に記載のサービス提供システムにおいて、前記Ｗｅｂサーバが、外部から前記デジタル放送送信装置に入力された前記パスワードテーブルを通信ネットワークを介して取得して前記テーブル記憶手段に入力するパスワードテーブル取得手段をさらに備えることが好ましい。
【００１７】
かかる構成によれば、サービス提供システムにおいて、デジタル放送送信装置がデータ放送にて送信するパスワードテーブルと、Ｗｅｂサーバがテーブル記憶手段に記憶するパスワードテーブルとを容易に同期させることができる。
【００１８】
また、請求項３に記載のサービス提供システムは、請求項１に記載のサービス提供システムにおいて、前記デジタル放送送信装置と前記Ｗｅｂサーバが、前記コンテンツ用の前記パスワードテーブルとして同一のテーブルを同じアルゴリズムで生成して用いることが好ましい。
【００１９】
かかる構成によれば、サービス提供システムにおいて、デジタル放送送信装置がデータ放送にて送信するパスワードテーブルと、Ｗｅｂサーバがテーブル記憶手段に記憶するパスワードテーブルとを容易に同期させることができる。
【発明の効果】
【００２０】
請求項１に記載の発明によれば、サービス提供システムは、パスワードに有効期限を設けて、時刻に応じた複数のパスワードをパスワードテーブルに格納してデータ放送にて送信する。これにより、受信側で生成される２次元コードは、生成時刻に応じて異なる。したがって、２次元コードに記載のＵＲＬの情報を不正により得た者の不正行為を無効化することができる。また、サービス提供システムでは、送信側にて２次元コードを生成して予め用意する必要がないので、景品が不正にダウンロードされることを防止するための運用コストを低減することができる。
【００２１】
請求項２または請求項３に記載の発明によれば、サービス提供システムは、デジタル放送送信装置がデータ放送にて送信するパスワードテーブルと、Ｗｅｂサーバがテーブル記憶手段に記憶するパスワードテーブルとを低運用コストで容易に同期させることができ、有効期限による判定を正確に行うことができる。
【図面の簡単な説明】
【００２２】
【図１】本発明の実施形態に係るサービス提供システムの概要を示す構成図である。
【図２】図１に示す送信機および受信機の構成を示すブロック図である。
【図３】図１に示すＷｅｂサーバの構成を示すブロック図である。
【図４】図１に示す受信機で行う２次元コード生成処理の概要を示すフローチャートである。
【図５】本発明の実施形態に係るサービス提供システムの処理の概要を示す説明図である。
【発明を実施するための形態】
【００２３】
以下、本発明に係るサービス提供システムを実施するため形態（以下「実施形態」という）について図面を参照して詳細に説明する。
【００２４】
［サービス提供システムの概要]
放送通信連携システム１は、図１に示すように、サービス提供システム２と、視聴者宅で使用される受信機（デジタル放送受信装置）３と、視聴者宅で使用される２次元コード読み取り機能付き携帯端末機４とを備える。
サービス提供システム２は、放送コンテンツの視聴者に対して、通信により、特典として景品を進呈する視聴者サービスを提供するシステムであり、放送局で使用されコンテンツを放送する送信機（デジタル放送送信装置）５と、Ｗｅｂサーバ６とを備える。
【００２５】
携帯端末機４は、例えば携帯電話機や携帯情報端末（ＰＤＡ：Personal Digital Assistant）等である。送信機５や受信機３は、図２に示すような機能ブロック図で構成され、Ｗｅｂサーバ６は、図３に示すような機能ブロック図で構成される。なお、送信機５、受信機３、およびＷｅｂサーバ６の構成の詳細については後記することとして、視聴者が景品を取得するまでの放送通信連携システム１の中での各装置の処理の概要について図１を参照して説明する。
【００２６】
サービス提供システム２において、視聴者に進呈される景品は、インターネット（通信ネットワーク）Ｎを流通するデータ形式の景品であり、携帯端末機４向けの壁紙、待ち受け画面や着ボイスなどのコンテンツである。また、以下では、放送コンテンツを視聴する視聴者が景品を取得する権利を獲得した際に景品をダウンロードするための宛先（ＵＲＬ）が記載された２次元コードがＱＲコード（登録商標）であるものとして説明する。なお、ＱＲコードは、日本工業規格（ＪＩＳ  Ｘ  ０５１０）で仕様が定められている。
【００２７】
送信機５は、コンテンツの視聴者に対して特典として景品を進呈する視聴者サービスが提供されるコンテンツを放送すると共に、放送するコンテンツのデータ放送により、アクセス用情報を送信する。このアクセス用情報は、コンテンツを視聴する視聴者が景品を取得する権利を獲得した際に景品をダウンロードするための宛先に携帯端末機４にてアクセスするための情報であって、詳細は後記するが、遷移先のＵＲＬの文字列と、パスワードテーブルとを含む。そして、送信機５は、データ放送にて、遷移先のＵＲＬの文字列と、パスワードテーブルと、ＱＲコード生成プログラムとを放送波により送信する（ステップＳ１）。
【００２８】
受信機３は、放送波により、コンテンツおよびデータ放送を受信し、コンテンツを視聴する視聴者が予め定められた基準を満たして景品を取得する権利を獲得した場合、アクセス用情報と、ＱＲコード生成プログラムとを用いてＱＲコードを生成し、テレビ画面に表示する（ステップＳ２）。視聴者が景品取得権利を獲得した場合、図１に示すように、ＱＲコードシンボルと共に、例えば「景品をプレゼント！」といった内容の画面が表示される。
【００２９】
ステップＳ２にてテレビ画面のデータ放送上にＱＲコードが表示されると、視聴者は、携帯端末機４を用いて、ＱＲコードを読み取る操作を行う（ステップＳ３）。図１に示す例では、ＱＲコードに記載されている、景品をダウンロードするためのページの前に遷移する遷移先のＵＲＬの文字列と、パスワードの文字列「７５７３８４６」とが読み取られている。続いて、視聴者が、携帯端末機４を用いて、ＱＲコードを読み取った宛先に接続する操作を行うと、携帯端末機４は、インターネットＮを介して、遷移先のＵＲＬで特定されるＷｅｂサーバ６にアクセスする（ステップＳ４）。
【００３０】
Ｗｅｂサーバ６は、携帯端末機４から、パスワードの文字列「７５７３８４６」を取得し、パスワードが予め定められた有効期限内のものか否かを判定し（ステップＳ５）、判定結果に応じたページが携帯端末機４に表示されることになる（ステップＳ６）。
【００３１】
［放送通信連携システムの各装置の構成]
図２は、図１に示す送信機および受信機の構成を示すブロック図である。
＜送信機（デジタル放送送信装置）＞
送信機５は、デジタル放送番組の番組コンテンツを配信するものであり、さらに、データ放送として電子文書（ＢＭＬ文書：Broadcast Markup Language）を配信するものである。送信機５は、データ放送にて、コンテンツ用のアクセス用情報を送信する。
【００３２】
アクセス用情報は、景品をダウンロードするための宛先に携帯端末機４にてアクセスするための情報であって、遷移先のＵＲＬの文字列と、パスワードテーブルとを含む。
遷移先のＵＲＬの文字列とは、コンテンツ用の景品をダウンロードするためのページの前に遷移する遷移先のＵＲＬの文字列である。
このＵＲＬの文字数、およびパスワードの文字数は、その合計値が、２次元コードの仕様を満足するように選択されて予め設定されている。例えば、ＱＲコードの仕様では、型番（バージョン）、誤り訂正レベル、文字種モード等に応じてＱＲコードに記載できる文字数が定められている。なお、具体的な例としては、例えば、英数字モード、「型番（バージョン）」が“３”、「誤り訂正レベル」が“Ｑ”ならば、合計値が「４７文字」と定められている。なお、本実施形態において、ＵＲＬの文字数とパスワードの文字数との合計値は、４７文字に限定されるものではない。
【００３３】
パスワードテーブルは、パスワードの文字列と当該パスワードの有効期限の時刻との組み合わせを時刻別に複数格納したテーブルである。ここで、テーブルに格納されたパスワードの個数とその時間間隔は、例えば、景品のダウンロード先にアクセスする締め切りまでの時間や日数等の制約に応じて予め設定されている。
また、パスワードの個数とその時間間隔は、放送局のポリシーによっても定められている。例えば、時間間隔を短く設定してパスワードの個数が多くなったとしても不正者を確実に排除することとするか、あるいは、パスワードの個数を少なくして不正行為を無効化する性能が悪くても運用コストの低減をとるか、というトレードオフの関係があるからである。パスワードの時間間隔の一例として、等間隔の場合、数分単位〜数十分単位とすることができる。また、より好ましくは、放送コンテンツを視聴せずに、ネットの掲示板に掲示されたことを知った者（不正者）が、その掲示板を閲覧して、景品のダウンロード先にアクセスするまでに要する時間を考慮すれば、１０〜３０分程度の時間間隔とすることが現実的である。なお、一日の時間帯のうちでネットワーク利用者の掲示板アクセスが増加する時間帯に、パスワードの時間間隔を短くするようにしてもよい。
【００３４】
また、送信機５は、データ放送にて、ＱＲコード生成プログラムや、このＱＲコード生成プログラムに必要なパラメータ等（以下、ＱＲコード生成プログラム等という）を送信する。ＱＲコード生成プログラムは、受信機３にてＱＲコードを生成する際に遷移先のＵＲＬの文字列の後にコード生成時刻に対応したパスワードの文字列を連結したテキストからＱＲコードを生成および表示するためのプログラムである。なお、プログラムに必要なパラメータとしては、例えば、型番（バージョン）、誤り訂正レベル、文字種モード、文字数等の情報を含むことができる。
【００３５】
前記機能を実現するために、送信機５は、主に、コンテンツ記憶手段３１と、放送制御手段３２と、放送送出手段３３とを備えている。
【００３６】
コンテンツ記憶手段３１は、デジタル放送の番組コンテンツやデータ放送コンテンツ等の各種コンテンツを記憶するものであって、ハードディスク等の記憶装置である。
コンテンツ記憶手段３１は、外部から入力された、パスワードテーブルや遷移先のＵＲＬの文字列を記憶すると共に、ＱＲコード生成プログラム等を記憶する。
【００３７】
放送制御手段３２は、コンテンツ記憶手段３１から、番組コンテンツ、データ放送コンテンツ等を読み出して、放送送出手段３３に出力するものである。
放送制御手段３２は、データ放送コンテンツのＢＭＬ文書に、アクセス用情報と、ＱＲコード生成プログラム等を組み込む。この放送制御手段３２は、データ放送にて、ＱＲコード生成プログラム、ＱＲコード生成用のパラメータ、遷移先のＵＲＬの文字列およびパスワードテーブルを一度に送信するようにしてもよいし、別々に送信するようにしてもよい。なお、放送制御手段３２は、詳細な説明は省略するが、デジタル放送の限定受信システムに対応してコンテンツのスクランブル、鍵情報の暗号化等の各種の制御を行う。
【００３８】
放送送出手段３３は、放送制御手段３２から出力される番組コンテンツ、データ放送のデータ等を多重化して、データカルーセルで伝送（配信）するものである。
【００３９】
＜受信機（デジタル放送受信装置）＞
受信機３は、放送波を介して、デジタル放送を受信するものであって、一般的なデジタル放送受信装置である。ここでは、受信機３は、放送受信手段４１と、ユーザ操作手段４２と、表示手段４３と、コンテンツ蓄積手段４４と、記憶手段４５と、受信制御手段４６とを備えている。そして、受信機３は、セキュリティモジュールである個別情報記憶カード４７を装着されることで、デジタル放送の受信を可能としている。個別情報記憶カード４７は、例えば、Ｂ−ＣＡＳカードである。なお、受信機３は、インターネットＮに接続されていてもよいし、接続されていなくてもよい。
【００４０】
放送受信手段４１は、送信機５から送出されるデジタル放送を受信するチューナ等から構成され、個別情報記憶カード４７の装着時に受信したデジタル信号を受信制御手段４６に出力するものである。
ユーザ操作手段４２は、ユーザの操作により指定されるコマンドを受信制御手段４６に出力するものであり、例えば、リモコン装置等である。
表示手段４３は、受信制御手段４６の処理結果として復号されたデジタル放送番組、データ放送を画面上に表示するものであり、例えば、ＬＣＤ（Liquid Crystal Display）等である。
【００４１】
コンテンツ蓄積手段４４は、放送受信手段４１で受信したデジタル放送番組等のコンテンツを記憶するものであり、ハードディスク等で構成される。
記憶手段４５は、受信制御手段４６等の動作プログラムやその処理結果等を記憶するものであり、メモリやハードディスク等で構成される。この記憶手段４５には、データ放送で送られるパスワードテーブルから時刻に応じたパスワードを取得するパスワード取得プログラムが予め記憶されている。なお、パスワード取得プログラムはデータ放送により配信するようにしてもよい。この記憶手段４５には、例えば、ユーザの住所、年齢等の個人情報を記憶した不揮発性メモリであるＮＶＲＡＭ（Non-volatile Random Access Memory）も含むこととする。
【００４２】
受信制御手段４６は、放送受信手段４１で受信したデジタル信号の再生・表示を制御するものである。ここでは、受信制御手段４６は、コンテンツ再生制御手段４６１と、表示制御手段４６２と、２次元コード生成手段４６３と、を備えている。
【００４３】
コンテンツ再生制御手段４６１は、受信した多重化されたデジタル信号から暗号化鍵情報やコンテンツ等を分離し、鍵情報を復号して、コンテンツをデスクランブルすることでコンテンツを再生する制御を行うものである。
【００４４】
表示制御手段４６２は、コンテンツ再生制御手段４６１で再生されたコンテンツを表示手段４３に表示させるものである。また、表示制御手段４６２は、データ放送の電子文書であるＢＭＬを解析し、表示制御を行うものでもある。
【００４５】
２次元コード生成手段４６３は、送信機５から、ＱＲコード生成プログラム等を含む電子文書を受信した際に、当該電子文書に組み込まれている情報（ＱＲコード生成プログラム）に基づいて機能するものである。この２次元コード生成手段４６３は、視聴者が予め定められた基準を満たした際に、ＵＲＬの文字列およびパスワードの文字列を含む２次元コードとしてＱＲコードを生成し、表示手段４３に表示させる。
【００４６】
ここで、予め定められた基準とは、放送局が視聴者サービスとして独自に導入しているルールである。このようなルールとしては、例えば、放送局が、毎週放映するシリーズの放送番組を放送中にリアルタイムに視聴する視聴者に対してポイントを与えて受信機３に蓄積させ、予め定められた回数だけ連続して視聴した場合に蓄積ポイントに応じて景品を進呈するといったものが挙げられる。
【００４７】
なお、視聴者が予め定められた基準を満たしたか否かについては、従来公知の方法で行われているように、放送局が、ＢＭＬを用いて、受信機３内に設けられている不揮発メモリに対して、不揮発メモリであるＮＶＲＡＭにアクセスするためのＢＭＬのコマンド（ＡＰＩ：Application Programming Interface）を使い個人情報などの情報の読み書きを行うことで実現できる。受信機３内の不揮発メモリには、放送事業者毎に領域（事業者領域）が確保されているからである。
【００４８】
ここで、２次元コード生成手段４６３によるＱＲコード生成処理の概要について図４を参照して説明する。まず、ＱＲコードで実際に読み取らせたい内容を示すテキストとして、ＵＲＬの文字列とパスワードの文字列とを続けて２次元コード生成手段４６３に入力する（Ｓ１１）。例えば、「ｈｔｔｐ：／／  …  」等のテキストが入力される。
【００４９】
次に、２次元コード生成手段４６３は、入力テキストを符号化する（Ｓ１２）。これにより、例えば「ｈｔｔｐ：／／  …  」等のテキストは、「１００１１０  …  」のような２進表現のビット列（データコード語列）に変換される。次に、２次元コード生成手段４６３は、数値演算を実行する。まず、誤り訂正符号を計算し、付加する。ＱＲコードは、データコード語列に付加する一連の誤り訂正コード語を生成するリードソロモン（ＲＳ）誤り訂正を備えている。そこで、２次元コード生成手段４６３は、ＲＳ誤り訂正符号（誤り訂正コード語）を計算により求め、データコード語列に付加する（Ｓ１３）。
【００５０】
さらに、２次元コード生成手段４６３は、マスク処理を行う（Ｓ１４）。マスク処理は、明モジュールと暗モジュールとをバランスよく配置してＱＲコードを読み取り易くするために、符号化領域で与えられたモジュールパターン（ビット列のパターン）と、複数のマスクパターン（マスク処理マトリックスパターン）とで順にＸＯＲ（排他的論理和）による変換を行い、変換結果の評価により、マスクパターンとして最適なものを選定し、最適なマスクパターンを用いた場合のＸＯＲ演算結果を出力する処理である。なお、ＱＲコードは、８種類のマスクパターン｛０，…，７｝を備えている。そして、２次元コード生成手段４６３は、生成したＱＲコードを出力する（Ｓ１５）。例えば、シンボルとして構成したＱＲコード（ＱＲコードシンボル）を表示手段４３の画面に表示させることができる。
【００５１】
［Ｗｅｂサーバの構成］
図３は、図１に示すＷｅｂサーバの構成を示すブロック図である。
Ｗｅｂサーバ６は、放送事業者によって用意され、ＣＧＩ（Common Gateway Interface）やＰＨＰ（Hypertext Preprocessor）といったサーバである。
Ｗｅｂサーバ６は、例えば、ＣＰＵ（Central Processing Unit）等の演算装置と、メモリ、ハードディスク等の記憶装置（記憶手段）と、外部との各種情報の送受信を行うインタフェース装置と、を備え、前記したハードウェア資源がプログラムによって制御されることにより実現され、図３に示すように、パスワードテーブル取得手段１１と、テーブル記憶手段１２と、タイマ１３と、パスワード抽出手段１４と、有効期限判定手段１５と、ページ画面送信制御手段１６と、ページ画面記憶手段１７とを備える。
【００５２】
パスワードテーブル取得手段１１は、送信機５がデータ放送にて送信するパスワードテーブルと同じパスワードテーブルを取得し、テーブル記憶手段１２に入力するものである。本実施形態では、パスワードテーブル取得手段１１は、送信機５との間の専用回線（通信ネットワーク）を介してオンラインでパスワードテーブルを取得する通信インタフェースで構成することとした。ここで、パスワードテーブル取得手段１１は、送信機５との間の専用回線の代わりにインターネットＮを介して、例えば暗号化したパスワードテーブルを取得することとしてもよい。
【００５３】
なお、パスワードテーブル取得手段１１を、例えば、ディスクドライブ装置等の入力インタフェースで構成し、送信機５に入力したパスワードテーブルを、ＣＤ−ＲＯＭ等の記憶媒体に格納し、この記憶媒体からオフラインにてパスワードテーブル取得手段１１に入力するようにしてもよい。また、パスワードテーブル取得手段１１に、例えば、データ放送を受信可能なデジタル放送チューナ等を備えて構成し、データ放送にて送信されたパスワードテーブルを受信して、テーブル記憶手段１２に入力するようにしてもよい。
【００５４】
テーブル記憶手段１２は、メモリやハードディスク等の記憶装置から構成され、データ放送にて送信されるパスワードテーブルと同じパスワードテーブルＴを記憶するものである。なお、パスワードテーブルＴは、放送コンテンツ毎、または、放送コンテンツ内のサービス内容毎に、複数格納されている。
【００５５】
タイマ１３は、現在時刻を示すクロック信号を有効期限判定手段１５に出力する。
パスワード抽出手段１４は、携帯端末機４から、インターネットＮを介して、遷移先のＵＲＬの文字列とパスワードの文字列とが連結された文字列を受信し、受信した文字列に連結されているパスワードを抽出するものである。抽出されたパスワードは、有効期限判定手段１５に出力される。
【００５６】
有効期限判定手段１５は、テーブル記憶手段１２に記憶されたパスワードテーブルＴを参照し、パスワード抽出手段１４で抽出したパスワードと、この抽出した時刻とに基づいて、抽出したパスワードが有効期限内のものであるか否かを判定するものである。判定結果は、ページ画面送信制御手段１６に出力される。
【００５７】
ページ画面送信制御手段１６は、有効期限判定手段１５の判定結果に応じたページ画面の情報をページ画面記憶手段１７から抽出して、インターネットＮを介して、携帯端末機４に返信するものである。
ページ画面送信制御手段１６は、パスワードが有効期限を過ぎているものである場合、その旨のエラーメッセージを表示するページ画面を携帯端末機４に送信する。
ページ画面送信制御手段１６は、パスワードが有効期限内のものである場合、景品をダウンロードするためのページ画面を携帯端末機４に送信する。
【００５８】
ページ画面記憶手段１７は、メモリやハードディスク等の記憶装置から構成され、有効期限判定手段１５の判定結果に応じたページ画面の情報として、ダウンロード不許可ページと、ダウンロード許可ページとを記憶するものである。
ダウンロード不許可ページは、例えば、“有効期限を過ぎています”、“アクセスが許可されませんでした”、“もう一度チャレンジして下さい”といった内容を表示するお断りページである。
ダウンロード許可ページは、景品をダウンロードするためのページであって、景品の内容やその選択肢と、ダウンロード開始ボタンとを表示するページである。このダウンロード開始ボタンを押下することで、景品がダウンロードされる。
なお、ページ画面記憶手段１７は、壁紙や着ボイス等のデータも記憶する。
【００５９】
このＷｅｂサーバ６は、一般的なコンピュータを、前記した各手段として機能させるプログラムにより動作させることで実現することができる。このプログラムは、通信回線を介して提供することも可能であるし、ＣＤ−ＲＯＭ等の記録媒体に書き込んで配布することも可能である。
【００６０】
［放送通信連携システムの動作］
放送通信連携システム１の中での各装置の処理の概要として説明した図１のステップＳ２〜ステップＳ６の処理のうち、受信機３の行うステップＳ２の処理の詳細と、Ｗｅｂサーバ６の行うステップＳ５の処理の詳細とを図５を参照（適宜図１〜図４参照）して説明する。まず、ステップＳ１（図１参照）において、受信機３は、データ放送にて、遷移先のＵＲＬの文字列と、パスワードテーブルと、ＱＲコード生成プログラム等とを放送波により受信する。
【００６１】
ステップＳ２において、図５に示すように、受信機３は、ＢＭＬのコマンドであるＡＰＩによって、景品を獲得したか否かを判別する（ステップＳ２１）。すなわち、視聴者が景品を取得する権利を獲得したか否かを判別する。視聴者が景品を取得する権利を獲得した場合（ステップＳ２１：ＯＫ）、受信機３の記憶手段４５に記憶されているパスワード取得プログラムがメモリに展開されて、ＣＰＵ等がこのプログラムを実行することによって、データ放送で送られるパスワードテーブルＴ1から時刻に応じたコード（パスワード）を入手する（ステップＳ２２）。以下、パスワードテーブルのうちの１つのパスワードのことを簡略化して単に「コード」と表記する。なお、２次元コードについては、ＱＲコード、またはＱＲコードシンボルと表記して区別する。
【００６２】
図５に示すように、データ放送で送られるパスワードテーブルＴ1と同じテーブルを、Ｗｅｂサーバ６も予め保持している。この例では、パスワードテーブルＴ1には、有効期限が３０分ずつずれたコードが記載されている。具体的には、有効期限が１０：００までのコード「７５７３８４６」、有効期限が１０：００を超えて１０：３０までのコード「４７４６７５９」、有効期限が１０：３０を超えて１１：００までのコード「９４７５７８１」等が記載されている。図５に示すパスワードテーブルＴ1の例において、例えば、時刻９：５０にＱＲコードを生成するときには、コード「７５７３８４６」を入手することになる。
【００６３】
ステップＳ２２に続いて、受信機３の２次元コード生成手段４６３は、遷移先のＵＲＬの文字列に、入手したコードの文字列（数列）を連結した文字列を入力として、ＱＲコードを生成して、表示手段４３の画面にＱＲコードシンボルを表示させる（ステップＳ２３）。詳細には、２次元コード生成手段４６３は、前記したステップＳ１１〜ステップＳ１５（図４参照）の処理を実行する。
【００６４】
続いて、ステップＳ３では、携帯端末機４がＱＲコードを読み取る。例えば、ＱＲコードシンボルを表示するときに入力したテキストの文字列が、遷移先のＵＲＬの文字列を示す「ｈｔｔｐ：／／ｋ．ｎｈｋ．ｊｐ／ｐｒｅｓｅｎｔ．ｃｇｉ／」と、コードの文字列を示す「７５７３８４６」とを連結したものであれば、図１に示すものと同じものが読み取られる。以下では、この連結した文字列を単に「ＵＲＬ」と表記する。続いて、ステップＳ４では、携帯端末機４は、インターネットＮを介して、ＵＲＬで特定されるＷｅｂサーバ６にアクセスする（ステップＳ４）。
【００６５】
続いて、ステップＳ５では、図５に示すように、Ｗｅｂサーバ６は、パスワード抽出手段１４によって、携帯端末機４から、インターネットＮを介して、ＵＲＬを受信し、受信したＵＲＬからコード（パスワード）を入手する（ステップＳ５１）。そして、Ｗｅｂサーバ６は、有効期限判定手段１５によって、パスワードテーブルＴ1を参照し、入手したコードが有効期限内のものであるか否かを判定する（ステップＳ５２）。パスワードが有効期限を過ぎているものである場合（ステップＳ５２：Ｎｏ）、ページ画面送信制御手段１６は、携帯端末機４の表示画面をダウンロード不許可ページに遷移させるための処理として、ダウンロード不許可ページを携帯端末機４に送信する（ステップＳ５３）。ここで、パスワードが有効期限を過ぎていると判定されるケースとしては、携帯端末機４がＱＲコードを読み取ったＵＲＬの文字列を、ネットの掲示板等に公開する者が現れて、公開してから比較的長い時間が経過した後に、この公開情報（ＵＲＬ）が悪用された場合が想定される。
【００６６】
一方、ステップＳ５２において、パスワードが有効期限内のものである場合（ステップＳ５２：Ｙｅｓ）、ページ画面送信制御手段１６は、携帯端末機４の表示画面をダウンロード許可ページに遷移させるための処理として、ダウンロード許可ページを携帯端末機４に送信する（ステップＳ５４）。ここで、パスワードが有効期限内のものであると判定されるケースとしては、受信機３のデータ放送上に生成されて表示されたＱＲコードを携帯端末機４で読み取った視聴者が正当な権利を行使して利用した場合が想定される。
【００６７】
続いて、ステップＳ６では、携帯端末機４の画面に、ステップＳ５３またはステップＳ５４の処理に応じたページ画面が表示される。これにより、コード（パスワード）が有効期限内であれば、携帯端末機４には、景品をダウンロードするためのページが表示され、視聴者は、景品をダウンロードして取得することができる。一方、不正者の携帯端末機４には、お断りのページが表示されることになる。
【００６８】
本実施形態によれば、サービス提供システム２において、送信機５は、コード（パスワード）に有効期限を設けて、時刻に応じた複数のパスワードをパスワードテーブルＴに格納してデータ放送にて送信するので、受信機３で生成されるＱＲコードは、生成時刻に応じて異なる。また、Ｗｅｂサーバ６は、同じパスワードテーブルＴを保持しているので、ＱＲコードを読み取ったと考えられる携帯端末機４から、有効期限を過ぎたコード（パスワード）を抽出した場合には、不正ダウンロードを防止することができる。したがって、ＱＲコードに記載のＵＲＬの情報を不正により得た者の不正行為を無効化することができる。
【００６９】
また、サービス提供システム２では、送信側にてＱＲコードを生成して予め用意する必要がないので、景品が不正にダウンロードされることを防止するための運用コストを低減することができる。実験の結果、現行に比べて運用コストをほぼかけることなく、不正ダウンロードを極力なくすことに成功した。
【００７０】
さらに、サービス提供システム２では、受信機３がインターネットＮに接続されて利用可能になっていることを必須要件とはしていないので、デジタル放送の視聴者に、インターネットに接続する環境を整えることを強制するものではなく、現状に即した多様な利用形態の視聴者が恩恵を享受する効果がある。
【００７１】
以上、本発明の実施形態について説明したが、本発明は、この実施形態には限定されない。例えば、本実施形態では、Ｗｅｂサーバ６がパスワードテーブル取得手段１１を備えて、外部からパスワードテーブルを取得することとして説明したが、Ｗｅｂサーバ６の内部でパスワードテーブルを生成することとしてもよい。この場合には、送信機５とＷｅｂサーバ６とは、同じアルゴリズムでパスワードテーブルを生成して用いることができる。これにより、送信機５とＷｅｂサーバ６とがそれぞれ用いるパスワードテーブルを容易に同期させることができる。
【００７２】
また、受信機にて２次元コードを生成する処理の負荷を低減するために、２次元コードに記載される情報のうちＵＲＬの文字列に関しては放送局側で予め誤り訂正符号の計算および付加処理を行い、その処理結果を配信するようにしてもよい。
なお、２次元コードはＱＲコードに限定されるものではない。
【符号の説明】
【００７３】
１      放送通信連携システム
２      サービス提供システム
３      受信機（デジタル放送受信装置）
４      携帯端末機
５      送信機（デジタル放送送信装置）
６      Ｗｅｂサーバ
１１    パスワードテーブル取得手段
１２    テーブル記憶手段
１３    タイマ
１４    パスワード抽出手段
１５    有効期限判定手段
１６    ページ画面送信制御手段
１７    ページ画面記憶手段
３１    コンテンツ記憶手段
３２    放送制御手段
３３    放送送出手段
４１    放送受信手段
４２    ユーザ操作手段
４３    表示手段
４４    コンテンツ蓄積手段
４５    記憶手段
４６    受信制御手段
４６１  コンテンツ再生制御手段
４６２  表示制御手段
４６３  ２次元コード生成手段
４７    個別情報記憶カード
Ｎ      インターネット（通信ネットワーク）
Ｔ      パスワードテーブル
【図１】
0005395774.tif 000002
【図２】
0005395774.tif 000003
【図３】
0005395774.tif 000004
【図４】
0005395774.tif 000005
【図５】
0005395774.tif 000006